(57)【要約】【課題】  ユーザーの操作性向上と処理時間の短縮を図ることができる画像表示装置を提供する。【解決手段】  画像データを複数に分割して表示する画像表示装置であって、表示対象の画像データを記憶する記憶手段と、画像の分割数を特定する分割数特定手段と、前記画像データを前記分割数に基づいて分割し、該分割数と同数の分割領域を定義する画像分割手段と、前記分割領域毎に印字率を求め、各分割領域毎の印字率を定義した印字率テーブルを生成するテーブル生成手段と、前記印字率テーブルに定義されている各分割領域毎の印字率に基づいて、前記各分割領域のうち１つの分割領域の画像を選択して表示する分割領域画像表示手段とを備える。【選択図】    図１
2006203752.tif 000002
【特許請求の範囲】
【請求項１】
画像データを複数に分割して表示する画像表示装置であって、
表示対象の画像データを記憶する記憶手段と、
画像の分割数を特定する分割数特定手段と、
前記画像データを前記分割数に基づいて分割し、該分割数と同数の分割領域を定義する画像分割手段と、
前記分割領域毎に印字率を求め、各分割領域毎の印字率を定義した印字率テーブルを生成するテーブル生成手段と、
前記印字率テーブルに定義されている各分割領域毎の印字率に基づいて、前記各分割領域のうち１つの分割領域の画像を選択して表示する分割領域画像表示手段と
を備えたことを特徴とする画像表示装置。
【請求項２】
前記印字率テーブルを参照して、各分割領域の印字率を段階的に表示する印字率表示手段をさらに備えたことを特徴とする請求項１に記載の画像表示装置。
【請求項３】
画像データを複数に分割して表示するために表示対象の画像データを記憶する記憶手段を備えた画像表示装置において画像表示を制御する表示制御プログラムであって、
画像の分割数を特定する分割数特定処理と、
前記画像データを前記分割数に基づいて分割し、該分割数と同数の分割領域を定義する画像分割処理と、
前記分割領域毎に印字率を求め、各分割領域毎の印字率を定義した印字率テーブルを生成するテーブル生成処理と、
前記印字率テーブルに定義されている各分割領域毎の印字率に基づいて、前記各分割領域のうち１つの分割領域の画像を選択して表示する分割領域画像表示処理と
をコンピュータに行わせることを特徴とする表示制御プログラム。
【請求項４】
前記印字率テーブルを参照して、各分割領域の印字率を段階的に表示する印字率表示処理をさらにコンピュータに行わせることを特徴とする請求項３に記載の表示制御プログラム。
【発明の詳細な説明】
【技術分野】
【０００１】
本発明は、画像データを複数に分割して表示する画像表示装置及び表示制御プログラムに関する。
【背景技術】
【０００２】
従来からページ連写モードや拡大連写モード等、異なる画像を連続して形成する場合に、コピー開始前に、どのような画像がどのような順序で形成されるかを確認できるようにする画像形成装置が知られている（例えば、特許文献１参照）。これは、操作部からページ連写モードを設定し、その後、プレビューキーを押し、画像読込キーを押すと、プリンタ部へ出力されるべき画像データがプレビュー処理部へ出力され、画面に出力画像が表示される。その際、コピー時の出力順序と同じ順序で出力画像が表示され、出力画像の一括表示も選択できるものである。
【特許文献１】特開平０９−０９３３７８号公報
【発明の開示】
【発明が解決しようとする課題】
【０００３】
ところで、１ページを複数に分割し拡大して内容を確認したいといった場合は、全ての分割ページを表示する必要がない場合がある。例えば、ユーザーが文書中の１ページの内容を確認したいような場合において、画像が表示されていない部分は確認する必要がないため、表示する必要性も低い場合がある。
しかしながら、特許文献１に記載の装置においては、全ての分割ページを表示するようになっていたため、無駄な表示操作を行わなければならないという問題がある。
【０００４】
本発明は、このような事情に鑑みてなされたもので、ユーザーの操作性向上と処理時間の短縮を図ることができる画像表示装置及び表示制御プログラムを提供することを目的とする。
【課題を解決するための手段】
【０００５】
本発明は、画像データを複数に分割して表示する画像表示装置であって、表示対象の画像データを記憶する記憶手段と、画像の分割数を特定する分割数特定手段と、前記画像データを前記分割数に基づいて分割し、該分割数と同数の分割領域を定義する画像分割手段と、前記分割領域毎に印字率を求め、各分割領域毎の印字率を定義した印字率テーブルを生成するテーブル生成手段と、前記印字率テーブルに定義されている各分割領域毎の印字率に基づいて、前記各分割領域のうち１つの分割領域の画像を選択して表示する分割領域画像表示手段とを備えたことを特徴とする。
【０００６】
本発明は、前記印字率テーブルを参照して、各分割領域の印字率を段階的に表示する印字率表示手段をさらに備えたことを特徴とする。
【０００７】
本発明は、画像データを複数に分割して表示するために表示対象の画像データを記憶する記憶手段を備えた画像表示装置において画像表示を制御する表示制御プログラムであって、画像の分割数を特定する分割数特定処理と、前記画像データを前記分割数に基づいて分割し、該分割数と同数の分割領域を定義する画像分割処理と、前記分割領域毎に印字率を求め、各分割領域毎の印字率を定義した印字率テーブルを生成するテーブル生成処理と、前記印字率テーブルに定義されている各分割領域毎の印字率に基づいて、前記各分割領域のうち１つの分割領域の画像を選択して表示する分割領域画像表示処理とをコンピュータに行わせることを特徴とする。
【０００８】
本発明は、前記印字率テーブルを参照して、各分割領域の印字率を段階的に表示する印字率表示処理をさらにコンピュータに行わせることを特徴とする。
【発明の効果】
【０００９】
本発明によれば、画像データを複数の領域に分割して表示する場合に、各分割領域の印字率を段階的に表示するようにしたため、各分割領域の印字率に基づいて各分割領域の画像表示を行うことができ、使用者は無駄な表示操作を行うことなく分割表示画像の確認を容易に行うことが可能になるという効果が得られる。
【発明を実施するための最良の形態】
【００１０】
以下、本発明の一実施形態による画像表示装置を図面を参照して説明する。図１は同実施形態の構成を示すブロック図である。本実施形態では、画像表示装置が画像形成装置である場合を例にして説明する。この図において、符号１は、画像形成装置の処理動作を統括して制御する制御部である。符号２は、テンキー、ファンクションキー、タッチパネル等で構成する入力部である。符号３は、液晶のディスプレイ等で構成する表示部である。符号４は、原稿台に置かれた原稿の画像を読み取るスキャナである。符号５は、スキャナ４等により得られた画像データを一時記憶する画像メモリである。符号６は、画像メモリ５に記憶されている画像データに基づいて、印刷用紙にこの画像を印刷する印刷部である。符号７は、印刷しようとする画像を分割し、拡大して表示部３へ表示する分割表示処理部である。符号８は、図示しないホストコンピュータから印刷データを受信し、画像メモリ５へ格納する通信部である。
【００１１】
次に、図２、図３を参照して、図１に示す分割表示処理部７の動作を説明する。図２は、図１に示す分割表示処理部７の動作を示すフローチャートである。図３は、分割表示処理を行う際に表示部３に表示される分割表示画面の一例を示す図である。ここでは、スキャナ４により読み取った元画像データＧを例にして説明する。この元画像データＧは、１つの画像データであり、４×４の１６分割した場合に、画像が存在する領域（図３に示すＡ〜Ｇの部分）と画像が存在しない領域（図３に示す空白部分）があるものとする。ここでいう「画像が存在しない」とは、分割した領域の全面が単一色の場合のことであり、全面が白の場合とは限らず、モノクロ印刷時の全面が黒、カラー印刷時の全面が赤や緑などのことである。また、印字率テーブルＴは、画像が存在する領域（図３に示すＡ〜Ｇの部分）の印字率の値を各分割領域毎に記憶するテーブルである。ここでいう印字率とは、画像が存在する分割領域の全面積に対する文字や画像が占める割合であり、図３に示す例では、百分率の値で表現している。
【００１２】
まず、原稿台に置かれた原稿をスキャナ４により読み取った画像を画像メモリ５へ格納する（ステップＳ１）。ここで使用者は、入力部２を操作して、分割表示を指定する。これを受けて、制御部１は、表示部３に分割数の入力を指示するメッセージを表示する。このメッセージ表示に対して使用者は、入力部２から分割数を入力する。ここでは、１６分割が入力されたものとする。この分割数の値は、制御部１が読み取り、分割表示処理部７へ通知する（ステップＳ１２）。これを受けて、分割表示処理部７は、画像メモリ５に格納されている元画像データＧを読み出し、入力された分割数に基づいて元画像データＧを分割して、１６個の分割領域を定義する。そして、分割表示処理部７は、各分割領域内の画像の状態を検査し、各分割領域内の印字率を求め、求めた印字率に基づいて、各分割領域の印字率を定義した印字率テーブルを内部に保持する（ステップＳ１３）。印字率テーブルＴは、図３に示すように、各分割領域の印字率の値が設定される。
【００１３】
次に、分割表示処理部７は、印字率テーブルＴの各分割領域の印字率を参照して、各分割領域を段階的にレベル分けし、分割表示画面Ｗの印字率表示領域Ｗ２へ表示する（ステップＳ１４）。図３においては、２段階にレベル分けした例を示す。このレベル分けは、例えば、しきい値「１」との大小比較を行い、印字率がしきい値「１」より小さい分割領域（図３に示す空白領域）と印字率がしきい値「１」以上である分割領域（図３に示す斜線領域）とに分けることにより行う。図３に示す例では、２段階のレベル分けを示したが、３段階以上のレベル分けであってもよく、この場合、レベルの数に応じた表示パターン（ハッチングの種類や色の濃度等で印字率の大小を表現する）を使用して、印字率表示領域Ｗ２の表示を行えばよい。
【００１４】
次に、分割表示処理部７は、各分割領域の印字率の値を参照して、印字率の値が最も高い分割領域（図３に示す符号Ｔ１）を、現在の表示窓（図３に示す符号Ｗ３）として設定し（ステップＳ１５）、現在の表示窓の位置を印字率表示領域Ｗ２へ表示する。そして、分割表示処理部７は、表示窓Ｗ３が設定されている分割領域の画像を画像表示領域Ｗ１へ表示する（ステップＳ１６）。これにより、画像表示領域Ｗ１には、分割領域Ｇ１の画像「Ａ」が表示されることになる。
【００１５】
次に、使用者は、分割表示画面Ｗ内の表示窓操作キーＢ１、Ｂ２、Ｂ３、Ｂ４を操作して、表示窓を上下左右に移動して、所望の分割領域の画像を画像表示領域Ｗ１へ表示する。このとき、分割表示処理部７は、印字率テーブルＴを参照して、表示窓操作キーと表示対象の分割領域の選択を制御する。例えば、現在の表示窓が元画像データＧの分割領域Ｇ１を表示しているときに、表示窓を右方向へ移動させる表示窓操作キーＢ２を押下した場合、分割表示処理部７は、印字率の値を右方向のみ検索して、次に印字率が「０」でない分割領域（この例では符号Ｔ２）を探し、見つかった分割領域（この例では分割領域Ｇ２）を画像表示領域Ｗ１へ表示する。すなわち表示窓操作キーＢ１、Ｂ２、Ｂ３、Ｂ４が押下された場合は、操作キーの各方向の印字率が「０」でない分割領域（画像が存在する分割領域）のみを移動するように制御する。
【００１６】
そして、分割表示処理部７は、表示窓操作キーＢ１、Ｂ２、Ｂ３、Ｂ４の操作状態を読み取り（ステップＳ１７）、表示窓操作キーが操作されている間は、分割領域の画像を画像表示領域Ｗ１への表示処理を継続する（ステップＳ１８）。一方、表示窓操作キーが操作されずに分割表示画面Ｗ内の中止キーＢ５が押下された場合、分割表示処理部７は、分割表示処理を中止する。また、表示窓操作キーが操作されずに分割表示画面Ｗ内の印刷開始キーＢ６が押下された場合、分割表示処理部７は、制御部１に対して、印刷開始キーＢ６が押下されたことを通知する。これを受けて、制御部１は、画像メモリ５に格納されている元画像データＧの印刷を印刷部６に対して指示する。
【００１７】
このように、画像データを複数の領域に分割して表示する場合に、各分割領域の印字率を段階的に表示するようにしたため、各分割領域の印字率に基づいて各分割領域の画像表示を行うことができ、使用者は無駄な表示操作を行うことなく分割表示画像の確認を容易に行うことが可能になる。
【００１８】
なお、画像を分割して表示する使用例として、前述したように、１枚の画像の細部を拡大して確認することに加え、画像を拡大して複数の印刷用紙に印刷する場合に各印刷用紙毎の印刷内容を確認する場合に使用してもよい。この場合に、指定された拡大率に基づいて、画像の分割数を求めるようにしてもよい。例えば、拡大率が２００％であれば、分割数は２となる。
また、前述した説明においては、画像形成装置を例にして説明したが、本発明の画像表示装置は、プリンタドライバのプレビュー等にも適用可能である。
【００１９】
また、図１における処理部の機能を実現するためのプログラムをコンピュータ読み取り可能な記録媒体に記録して、この記録媒体に記録されたプログラムをコンピュータシステムに読み込ませ、実行することにより画像表示の制御処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２１】
【図１】本発明の一実施形態の構成を示すブロック図である。
【図２】図１に示す分割表示処理部７の動作を示すフローチャートである。
【図３】確認表示画面の一例を示す説明図である。
【符号の説明】
【００２２】
１・・・制御部、２・・・入力部、３・・・表示部、４・・・スキャナ、５・・・画像メモリ、６・・・印刷部、７・・・分割表示処理部、８・・・通信部
【図１】
2006203752.tif 000003
【図２】
2006203752.tif 000004
【図３】
2006203752.tif 000005